(57)【要約】【課題】安価で容易に作成でき、持ち運ぶのに便利な簡易作成型飲食用器具を提供する。【解決手段】連続した１枚のシート２からなり、シート２上には、少なくとも１本の第１折れ線３と、第１折れ線３の一頂点７から第１折れ線３と鋭角ｘ、ｙをなす第２折れ線４が設けられており、第１折れ線３及び第２折れ線４は、シート２の周縁上から設けられていることを特徴とする。また、第２折れ線４は第１折れ線３を挟み両側に複数本設けられており、シート２には第１折れ線３を挟んで２つの第１の孔８、第２の孔９が設けられ、この第１の孔８、第２の孔９は第１折れ線３と第２折れ線４で曲げ変形される際に対向する又は重なることを特徴とする。【選択図】図１
2008068013.tif 000002
【特許請求の範囲】
【請求項１】
保持されるための保持部と、飲食物が支持される支持部からなる簡易作成型飲食用器具であって、
曲げ変形可能な連続した１枚のシートからなり、
曲げ変形させられたときに対向する複数の孔と
曲げ変形させられた状態を維持する変形維持手段と
を備え、曲げ変形させられたときに前記孔において指で保持されることを特徴とする簡易作成型飲食用器具。
【請求項２】
前記シートの周縁上から前記孔の間に設けられ、前記曲げ変形を助長する第１折れ線を備えていることを特徴とする請求項１に記載の簡易作成型飲食用器具。
【請求項３】
前記シートの周縁上の一点から他点の間において設けられ、前記保持部と前記支持部の形成を助長する第２折れ線を備えていることを特徴とする請求項１又は２に記載の簡易作成型飲食用器具。
【請求項４】
前記第２折れ線は、前記第１折れ線上で前記シートの周縁から所定距離離れた点から設けられており、
前記第１折れ線と前記第２折れ線は鋭角をなし、
前記第１折れ線と前記第２折れ線は前記シートに対して逆向きに折れる様に形成されていることを特徴とする請求項３に記載の簡易作成型飲食用器具。
【請求項５】
前記変形維持手段は、前記孔の周縁に形成された係止片であり、
曲げ変形させられたときに、前記係止片が前記他の孔を通過して、
前記係止片の外周が前記他の孔の内周で係止したときに、曲げ変形させられた状態を維持することを特徴とする請求項１乃至４の何れかに記載の簡易作成型飲食用器具。
【請求項６】
前記係止片に設けられたストッパー片と、
前記第１折れ線で曲げ変形させられて、前記係止片が前記他の孔を通過し、前記係止片の一面が前記シートの反対面に対向したとき、前記ストッパー片と対峙するストッパー挿入孔と
を備えていることを特徴とする請求項５に記載の簡易作成型飲食用器具。
【請求項７】
前記変形維持手段は、前記シートから分離し、且つ狭持機能を有しており、曲げ変形した前記シートの前記保持部を外側から狭持することにより、前記シートの曲げ変形状態を維持することを特徴とする請求項１乃至４の何れかに記載の簡易作成型飲食用器具。
【請求項８】
前記第１折れ線が切断されていることを特徴とする請求項２乃至７の何れかに記載の簡易作成型飲食用器具。
【発明の詳細な説明】
【技術分野】
【０００１】
本発明は室内外の立食パーティー時に使用する簡易作成型飲食用器具に関する。
【背景技術】
【０００２】
例えば、折畳み紙皿として、機械的な折畳みかつ貼合わせることで作成される３角形の紙皿がある（特許文献１参照）。この紙皿には、折り目線、折畳み線、ミシン目線や糊代片が設けられている（特許文献１参照）。
【０００３】
また、片手で一度に多数の簡易食器を保持しながら、食事をすることができる、簡易食器用トレイがあり、これは所定形状のシートと、シートに形成された簡易食器に対応する第１の開口と、指を通してシートを保持するためにシートに形成された第２の開口とを備えている（特許文献２参照）。このシートの材質はプラスチック段ボールを含んでいる（特許文献２参照）。
【０００４】
【特許文献１】実開平５−７７０１８号公報
【特許文献２】実開平６−７９３７１号公報
【発明の開示】
【発明が解決しようとする課題】
【０００５】
特許文献１に記載の考案は、形状が複雑であるため製作コストが高い。また、紙皿にする作成手順が多く複雑であったり、また、糊を使用する必要があったりするので、作成に非常に手間が掛かり、また、幼い子供や身体障害者等にとっては作成するのが困難である。
【０００６】
特許文献２に記載の考案は、トレイの大きさが手のひらに比べて非常に大きく、トレイを使用する人の、手を含めた体の外側にはみ出すため、トレイを他人にぶつける可能性が高い。特に混雑している場合は、トレイを保持しながら人混みをかき分けて移動するのが大変である。
【０００７】
本発明は、以上のような背景に鑑みなされたもので、その目的は安価で容易に作成でき、作成前及び作成後において持ち運びに便利な簡易作成型飲食用器具を提供することである。
【課題を解決するための手段】
【０００８】
請求項１に係る発明は、保持されるための保持部と、飲食物が支持される支持部からなる簡易作成型飲食用器具であって、曲げ変形可能な連続した１枚のシートからなり、曲げ変形させられたときに対向する複数の孔と曲げ変形させられた状態を維持する変形維持手段とを備え、曲げ変形させられたときに前記孔において指で保持されることを特徴とする。
請求項２に係る発明は、請求項１に係る発明において、前記シートの周縁上から前記孔の間に設けられ、前記曲げ変形を助長する第１折れ線を備えていることを特徴とする。
請求項３に係る発明は、請求項１又は２に係る発明において、前記シートの周縁上の一点から他点の間において設けられ、前記保持部と前記支持部の形成を助長する第２折れ線を備えていることを特徴とする。
請求項４に係る発明は、請求項３に係る発明において、前記第２折れ線は、前記第１折れ線上で前記シートの周縁から所定距離離れた点から設けられており、前記第１折れ線と前記第２折れ線は鋭角をなし、前記第１折れ線と前記第２折れ線は前記シートに対して逆向きに折れる様に形成されていることを特徴とする。
請求項５に係る発明は、請求項１乃至４の何れかに係る発明において、前記変形維持手段は、前記孔の周縁に形成された係止片であり、曲げ変形させられたときに、前記係止片が前記他の孔を通過して、前記係止片の外周が前記他の孔の内周で係止したときに、曲げ変形させられた状態を維持することを特徴とする。
請求項６に係る発明は、請求項５に係る発明において、前記係止片に設けられたストッパー片と、前記第１折れ線で曲げ変形させられて、前記係止片が前記他の孔を通過し、前記係止片の一面が前記シートの反対面に対向したとき、前記ストッパー片と対峙するストッパー挿入孔とを備えていることを特徴とする。
請求項７に係る発明は、請求項１乃至４の何れかに係る発明において、前記変形維持手段は、前記シートから分離し、且つ狭持機能を有しており、曲げ変形した前記シートの前記保持部を外側から狭持することにより、前記シートの曲げ変形状態を維持することを特徴とする。
請求項８に係る発明は、請求項２乃至７の何れかに係る発明において、前記第１折れ線が切断されていることを特徴とする。
【発明の効果】
【０００９】
本発明は、上記の通り、保持するための保持部と、飲食物を支持する支持部からなる簡易作成型飲食用器具であって、曲げ変形可能な連続した１枚のシートからなり、曲げ変形させられたときに対向する複数の孔と曲げ変形させられた状態を維持する変形維持手段とを備え、曲げ変形させられたときに孔において指で保持されるので、安価で容易に作成でき、作成前及び作成後において持ち運びに便利な簡易作成型飲食用器具を提供することができる。
【発明を実施するための最良の形態】
【００１０】
以下、図面に基づいて本発明の実施の形態を詳細に説明する。尚、本実施の形態においては、簡易作成型飲食用器具に料理等を載置する側（紙面上側）を表面、その反対面を裏面とする。また、本実施の形態においては、折れ線に沿って折り畳むこと及び折り曲げることも曲げ変形と称する。
【００１１】
（実施の形態１）
図２は、曲げ変形される前の簡易作成型飲食用器具１を、図１は曲げ変形後（使用状態）の簡易作成型飲食用器具１を示したものである。曲げ変形される前の簡易作成型飲食用器具１は連続した１枚のシート２からなっており、例えば紙製やプラスチック製で矩形に成形されている。本実施の形態においては、シート２を曲げ変形することで作成されるものを簡易作成型飲食用器具１とする。
【００１２】
シート２の第１の短辺５ａの中央から長辺６と平行に所定の長さの第１折れ線（谷折れ線）３が設けられている。また、第１折れ線３のシート２内部側の一端７から２本の第２折れ線（山折れ線）４が設けられており、これらは第１折れ線３を挟んで反対側に位置して、それぞれ第１折れ線３と鋭角ｘ、ｙをなしながら第１の短辺５ａ又は長辺６まで設けられている。ここで形成される２つの鋭角ｘ、ｙは等しいことが望ましい。
【００１３】
第１折れ線３と２本の第２折れ線４の間には、それぞれ指を通すことができる第１の孔８、第２の孔９が設けられている。第１の孔８、第２の孔９は第１折れ線３を対称に設けられていることが望ましい。図２中には、第１折れ線３を破線で、第２折れ線４を細線で示している。第１の孔８、第２の孔９は差し込まれる指に対応した大きさと形状に形成される。図面においては、第１の孔８、第２の孔９は円形、もしくは半円形に近い形に形成されている。
【００１４】
第１の孔８の周縁には係止片１０が形成されている。この係止片１０は第１の孔８を成形する際に形成されるもので、シート２を所定の形状で切り込むことにより形成される。第２の孔９は、シート２を所定の形状で切り取ることにより形成される。
【００１５】
係止片１０には、所定の形状で切り込まれることで形成されるストッパー片１１が設けられている。係止片１０が設けられていない第２の孔９の近傍には、シート２を第１折れ線３で曲げ変形させて係止片１０を第２の孔９に通し、係止片１０を所定の位置で曲げ変形する時にストッパー片１１と対峙する箇所にストッパー片１１を挿入できる、矩形等のストッパー挿入孔１２が設けられている。ストッパー片１１は鉤状等、ストッパー挿入孔１２に係止し得る形に形成される。このように、係止片１０とストッパー片１１とストッパー挿入孔１２でシート２の曲げ変形状態を維持する変形維持手段は構成されている。
【００１６】
このように、シート２の加工部分は少ないので、生産コストは低く、安価な簡易作成型飲食用器具１を提供することができる。また、１枚のシートにおいて使用しない部分は少ないので、材料を無駄なく利用でき、ゴミを発生させない。さらに、シートの形状をこのように矩形状、若しくは台形状等にすると、母材から１枚のシートを無駄なく形成できる。
【００１７】
次に、簡易作成型飲食用器具１の作成方法について図１、図２を用いて説明する。第１折れ線３と第２折れ線４でそれぞれシート２を曲げ変形すると第１の孔８、第２の孔９が対向又は重なるので、係止片１０をその付け根付近で折り曲げながら第２の孔９に通過させる。係止片１０の表面がシート２の裏面に接触すると、ストッパー片１１とストッパー挿入孔１２が重なるので、ストッパー片１１をストッパー挿入孔１２に挿入すると、ストッパー片１１がストッパー挿入孔１２に引っ掛かり、シート２の曲げ変形状態が維持されて、簡易作成型飲食用器具１が完成する。
【００１８】
このように作成された簡易作成型飲食用器具１は、シート２が対向又は重なる部分であり簡易作成型飲食用器具１を持つための保持部１４と、料理や果物等の食べ物を載せて支持する支持部１５とで構成される。支持部１５は、下部に一端７を頂点とし、上部にシート２の第２の短辺５ｂと長辺６を底とする、略錐体に形成される。
【００１９】
このように、簡易作成型飲食用器具１の作成方法は容易であるので、幼い子供等にもシート２から簡易作成型飲食用器具１を作成することができる。また、短時間で大量の簡易作成型飲食用器具１を作成することができるので、パーティー等の準備を行う人数は少なくて済むので経済的である。
【００２０】
次に、簡易作成型飲食用器具１の使用方法の一例を、図３を用いて説明する。第二指２０を、対向又は重なった第１の孔８と第２の孔９に通し、第三指２１と第四指２２で底線１３を支承する。このように持つと、簡易作成型飲食用器具１は指上で指方向と略直交して載置されるので、簡易作成型飲食用器具１を指のみで持つことができ、手の平２４上には何もない状態となる。したがって、指で簡易作成型飲食用器具１を持ちながら、手の平２４に図示しないコップ等を同時に載置することが可能であり、片手で簡易作成型飲食用器具１とコップ等を持つことができる。
【００２１】
また、図４に示すように、第二指２０を、対向又は重なった第１の孔８と第２の孔９に通し、第三指２１のみで底線１３を支承して、簡易作成型飲食用器具１を持つこともできる。このように簡易作成型飲食用器具１を持つと、指で簡易作成型飲食用器具１を持ちながら、手の平２４と第四指２２と第五指２３でコップ等を同時に持つことが可能であり、片手で簡易作成型飲食用器具１と図示しないコップ等を持つことができる。
【００２２】
図３及び図４のような持ち方により、片手が自由になるので、簡易作成型飲食用器具１と図示しないコップ等を持ちながら、料理を食べたり、簡易作成型飲食用器具１に料理等を盛ったりすることができる。また、携帯電話で通話したり、カメラを撮影することもできる。
【００２３】
また、支持部１５は一端７を頂点する略錐体であるので、一端７を有する底線１３を地面と平行にすると、一端７から略錐体の底を形成する第２の短辺５ｂへの垂線１６と底線１３は一定の角度を形成する。したがって、支持部１５の端部である第２の短辺５ｂは一端７より上側に配置される。このように、支持部１５は、頂点が下側に配置された略錐体に形成され、端部が上側に配置されるので、食べ物等を支持部１５内から落とす可能性は少ない。さらに、簡易作成型飲食用器具１の曲げ変形された状態は立体形状となるため、形態安定性が高く、物を載せても容易に変形することはない。
【００２４】
また、手の平２４上で体の外側に簡易作成型飲食用器具１がほとんど突出しないので、他人に簡易作成型飲食用器具１を接触させる可能性はほとんどなく、混み合った場合においても細心の注意を払う必要がない。さらに、従来は皿を手の平に載置するのみだったので皿は不安定な状態であったが、指に通して皿を持つので、皿は確実に固定されて安定性が良くなる。
【００２５】
また、支持部１５に食べ物を載置する際に、直接食べ物等を載せることができるが、パーティーの趣旨に合わせて、紙や葉を介して食べ物等を載せることもできる。紙の種類、又は葉の種類は特定されるものではなく、パーティー等の趣旨に合わせて選定することができる。
【００２６】
簡易作成型飲食用器具１を使用しないときは、１枚の平坦なシート２の状態で保管できるので、使用前又は使用後において収納や持ち運びに便利である。
【００２７】
（実施の形態２）
図６は曲げ変形される前の簡易作成型飲食用器具３１を、図５は曲げ変形後（使用状態）の簡易作成型飲食用器具３１を示したものである。示したものである。これは連続した１枚のシート３２からなっており、例えば紙製やプラスチック製で、角が無い略矩形（図６における実線）、又は略楕円形（図６における点線）に成形されている。シート３２の長軸上に、周縁から所定の長さの切れ線３３が設けられており、この切れ線３３を挟んで、それぞれ指を通すことができる第１の孔３８、第２の孔３９が設けられている。これらの第１の孔３８、第２の孔３９は切れ線３３を対称に設けられていることが望ましい。第１の孔３８、第２の孔３９は差し込まれる指に対応した大きさと形状に形成され、図面においては、第１の孔３８、第２の孔３９を矩形に形成されている。
【００２８】
実施の形態１と同様に、係止片４０、ストッパー片４１が設けられている。本実施の形態において、係止片４０、ストッパー片４１は矩形状に形成されている。また、実施の形態１と同様な位置に、ストッパー片４１を挿入させるためのストッパー挿入切れ目４２が設けられている。このように、係止片４０とストッパー片４１とストッパー挿入切れ目４２でシート３２の曲げ変形状態を維持する変形維持手段は構成されている。
【００２９】
次に、簡易作成型飲食用器具３１の作成方法について図５、図６を用いて説明する。切れ線３３を軸にシート３１を曲げ変形させると２個の第１の孔３８、第２の孔３９が対向又は重なるので、係止片４０をその付け根付近で折り曲げながら第２の孔３９に通過させる。係止片４０の表面がシート３２の裏面に接触すると、ストッパー片４１とストッパー挿入切れ目４２が重なるので、ストッパー片４１をストッパー挿入切れ目４２に挿入すると、ストッパー片４１がストッパー挿入切れ目４２に引っ掛かり、シート３２の曲げ変形状態が維持されて、簡易作成型飲食用器具３１が完成する。このように作成された簡易作成型飲食用器具３１は、実施の形態１と同様に保持部４４と支持部４５が構成され、同様な使用方法が適用される。
【００３０】
角が無い略矩形、又は略楕円形のシート３２から形成された簡易作成型飲食用器具３１は、人を傷つける可能性がほとんどなく、安全面において有効である。したがって、立食パーティー等に子供がいても安心して移動することができる。
【００３１】
また、実施の形態１と共通の構造、作成方法、使用方法については、同様の作用、効果が得られる。
【００３２】
（実施の形態３）
図８は曲げ変形される前の簡易作成型飲食用器具５１を、図７は曲げ変形後（使用状態）の簡易作成型飲食用器具５１を示したものである。示したものである。これは連続した１枚のシート５２からなっており、例えば形状記憶合金その他の金属製で円形に成形されている。このシート５２の大部分は実施の形態１で説明したような構造をしており、構造の違いは、シート５２の形状、材質と、係止片、ストッパー片、ストッパー挿入孔が設けられていないことである。ここで、実施の形態１と共通する部分は、実施の形態１と同じ名称と記号を用いることとする。
【００３３】
次に、簡易作成型飲食用器具５１の作成方法について図７、図８を用いて説明する。実施の形態１のように第１折れ線３と第２折れ線４で曲げ変形されたシート５２は第１の孔８、第２の孔９が対向すると共に、保持部５４と支持部５５が形成される。曲げ変形されたシート５２を維持するために、クリップ５６を保持部５４の外側から取り付ける。
【００３４】
このように、クリップ５６のような、シート５２から分離して狭持機能を有するものを変形維持手段として使用すると、シート５２を曲げ変形させた後に取り付けるだけなので、簡易作成型飲食用器具５１の作成が容易となる。クリップの大きさ、形状、色等はシートの大きさ、形状、色等に合わせて適宜選定すればよい。
【００３５】
このように作成された簡易作成型飲食用器具５１の使用方法として、直接食べ物等を載せて皿として利用できるほか、ある程度大きくし、この支持部５５の上にケーキやピザ等を載せた皿を載せるトレイとしても利用できる。
【００３６】
また、実施の形態１と共通の構造、作成方法、使用方法については、同様の作用、効果が得られる。
【００３７】
（実施の形態４）
図１０は曲げ変形される前の簡易作成型飲食用器具６１、図９は曲げ変形後（使用状態）の簡易作成型飲食用器具６１を示したものである。を示したものである。これは、連続した１枚のシート６２からなっており、例えば形状記憶プラスチックその他のプラスチック製で略十字形に成形されている。このシート６２は、図示されない矩形のシートの四隅を同一矩形状に切り取ったもので、主部６５と副部６６で構成されている。
【００３８】
主部６５と副部６６の境界線上に第２折れ線６４が設けられている。副部６６には第１の孔６８、第２の孔６９が、差し込まれる指に対応した大きさと形状に形成されている。図面においては、第１の孔６８、第２の孔６９は円形、もしくは半円形に近い形状に形成されている。
【００３９】
第１の孔６８の周縁にはストッパー片７１が設けられた係止片７０が形成されている。係止部７０とストッパー片７１は実施の形態１と同様に形成されている。係止片７０が設けられていない第２の孔６９の近傍には、ストッパー片７１が挿入されるストッパー挿入孔７２が設けられている。シート６２を長軸方向中央辺りで副部６６及び第２折れ線６４が重なるように曲げ変形させて、係止片７０を第２の孔６９に通過させて所定の位置で折り曲げた時に、ストッパー挿入孔７２とストッパー片７１は対峙する。ストッパー片７１は鉤状等、ストッパー挿入孔７２はストッパー片７１が係止し得る形状に形成させる。
【００４０】
次に、簡易作成型飲食用器具６１の作成方法について図９、図１０を用いて説明する。最初に、第２折れ線６４の山側同士及び副部６６が重なるように、シート６２の長軸方向中央辺りで曲げ変形させると、第１の孔６８と第２の孔６９は接近するので、係止片７０を折り曲げながら第２の孔６９に通過させる。係止片７０の裏面がシート６２の表面に接触するとストッパー片７１とストッパー挿入孔７２が重なるので、ストッパー片７１をストッパー挿入孔７２に挿入させる。したがって、ストッパー片７１がストッパー挿入孔７２に引っ掛かるので、シート６２の曲げ変形状態が維持されて、簡易作成型飲食用器具６１が完成し、保持部７４と支持部７５が形成される。
【００４１】
次に、ナイロン製等の袋７６を簡易作成型飲食用器具６１の支持部７５の中に開口部を上向きに挿入させて、袋７６を開口部周辺で簡易作成型飲食用器具６１の上端７３に合わせて折り返す。この折り返された部分７７をゴムバンド７８等で強く留めると、この袋７６の中にスープやシチュー等の液体や半固形状の熱い飲食物を注いで持つことができる。
【００４２】
（実施の形態５）
次に、シート６２を用いて作成する別態様の簡易作成型飲食用器具８１についての作成方法について図１０〜図１２を用いて説明する。これは、完成すると図１１に示すように、円柱状となる。最初に、前実施の形態で説明した、図１０に示すシート６２を用いて、簡易作成型飲食用器具６１を前実施の形態で説明したように作成する。ただし、第２折れ線６４の山側同士及び副部６６同士をしっかりと重ねる。簡易作成型飲食用器具６１において、曲げ変形されて第２折れ線６４が重なった箇所は平面的に見ると尖っているので、この箇所を全体で簡易作成型飲食用器具６１の中側へ平面的に見て環状になるように押さえ込む。そこで、シート６２の形状記憶プラスチック製の性状を利用して円柱状の簡易作成型飲食用器具８１を作成する。
【００４３】
次に、図１２に示すように、作成された簡易作成型飲食用器具８１の環状に形成された上端８４に、内面にナイロン製等の袋８６が溶着された断面下向きに凹形状の環状リング８３を嵌合させる。又は、図示しないが、ナイロン製等の袋８６を簡易作成型飲食用器具８１の内側に開口部が上向きになるように挿入し、環状の上端８４で外側に折り返し、上から袋８６の上から断面下向きに凹形状の環状リング８３を上端８４に嵌合させることもできる。
【００４４】
（その他の実施の形態）
上述した実施の形態以外に、図１３、１４に示すように台形状のシート９２から作成された簡易作成型飲食用器具９１や、図１５、１６に示すように三角形状のシート１０２から作成された簡易作成型飲食用器具１０１等がある。これら以外にもシートの形状は支持部に載せる食べ物に応じて適宜選定すればよい。
【００４５】
シートが紙である場合、紙をコーティング等の表面加工することもできる。そのようにすると、簡易作成型飲食用器具を使用した後に洗浄することで油汚れ等を落とすことができるので、何回も再利用することができて経済的である。
【００４６】
パーティー等のイベントにスポンサーがいる時は、シートに社名やイベント名等を印刷することもできるので宣伝広告にも利用できる。
【００４７】
また、ストッパー挿入孔の形状は特定されるものではなく、円や楕円、正方形等の多角形状、若しくは星形等どのような形状でもよい。
【００４８】
また、ストッパー片やストッパー挿入孔、ストッパー挿入切れ目の形状も特定の形状に限定されるものではない。
【００４９】
また、連続した１枚のシートは、複数のシートを貼合わせて全体として一枚に形成されていればよいものとする。またシートの色は特定の色に限定するものではなく、有彩色や透明色等どのような色でも良く、食器が使用されている状況に応じて設定すればよい。
【００５０】
また、変形維持手段として、係止片とストッパー片とストッパー挿入孔又はストッパー挿入切れ目で構成されるものや、クリップを説明したが、これらに限定するものではなく、係止片を第２の孔に通過させた後に係止片の外面を第２の孔の内面に引っ掛けさせる方法等でも可能である。
【図面の簡単な説明】
【００５１】
【図１】実施の形態１における簡易作成型飲食用器具の斜視図である。
【図２】実施の形態１におけるシートの平面図である。
【図３】実施の形態１における簡易作成型飲食用器具の使用状況の斜視図１である。
【図４】実施の形態１における簡易作成型飲食用器具の使用状況の斜視図２である。
【図５】実施の形態２における簡易作成型飲食用器具の斜視図である。
【図６】実施の形態２におけるシートの平面図である。
【図７】実施の形態３における簡易作成型飲食用器具の斜視図である。
【図８】実施の形態３におけるシートの平面図である。
【図９】実施の形態４における簡易作成型飲食用器具の使用状況の斜視図である。
【図１０】実施の形態４におけるシートの平面図である。
【図１１】実施の形態５における簡易作成型飲食用器具の斜視図である。
【図１２】実施の形態５における簡易作成型飲食用器具の使用状況の斜視図である。
【図１３】その他の実施の形態における簡易作成型飲食用器具の斜視図である。
【図１４】その他の実施の形態におけるシートの平面図である。
【図１５】その他の実施の形態における簡易作成型飲食用器具の斜視図である。
【図１６】その他の実施の形態におけるシートの平面図である。
【符号の説明】
【００５２】
１………簡易作成型飲食用器具
２………シート
３………第１折れ線（谷折れ線）
４………第２折れ線（山折れ線）
５ａ……第１の短辺
５ｂ……第２の短辺
６………長辺
７………一端
８………第１の孔
９………第２の孔
１０……係止片
１１……ストッパー片
１２……ストッパー挿入孔
１３……底線
１４……保持部
１５……支持部
１６……垂線
２０……第二指
２１……第三指
２２……第四指
２３……第五指
２４……手の平
３１……簡易作成型飲食用器具
３２……シート
３３……切れ線
３８……第１の孔
３９……第２の孔
４０……係止片
４１……ストッパー片
４２……ストッパー挿入切れ目
４４……保持部
４５……支持部
５１……簡易作成型飲食用器具
５２……シート
５４……保持部
５５……支持部
５６……クリップ
６１……簡易作成型飲食用器具
６２……シート
６４……第２折れ線（山折れ線）
６５……主部
６６……副部
６８……第１の孔
６９……第２の孔
７０……係止片
７１……ストッパー片
７２……ストッパー挿入孔
７３……上端
７４……保持部
７５……支持部
７６……袋
７７……折り返された部分
７８……ゴムバンド
８１……簡易作成型飲食用器具
８３……環状リング
８４……上端
８６……袋
９１……簡易作成型飲食用器具
９２……シート
１０１…簡易作成型飲食用器具
１０２…シート
ｘ………第１折れ線と第２折れ線でなす鋭角
ｙ………第１折れ線と第２折れ線でなす鋭角
【図１】
2008068013.tif 000003
【図２】
2008068013.tif 000004
【図３】
2008068013.tif 000005
【図４】
2008068013.tif 000006
【図５】
2008068013.tif 000007
【図６】
2008068013.tif 000008
【図７】
2008068013.tif 000009
【図８】
2008068013.tif 000010
【図９】
2008068013.tif 000011
【図１０】
2008068013.tif 000012
【図１１】
2008068013.tif 000013
【図１２】
2008068013.tif 000014
【図１３】
2008068013.tif 000015
【図１４】
2008068013.tif 000016
【図１５】
2008068013.tif 000017
【図１６】
2008068013.tif 000018